(57)【要約】【課題】振出孔における粉状物の目詰まりによって粉状物を振り出す機能が損なわれない粉状物振出容器を提供する。【解決手段】第一の収容部１と第二の収容部２とを衝撃伝達部４をはさんで対向する前後にそれぞれ有しており、第一の収容部１に粉状物１０が収容されており、第二の収容部２に振出動作により衝撃伝達部４に衝撃を付与するためのおもり２０が移動自在に収容されており、粉状物１０を前方に振り出すための振出孔５１ａが前端部５１に形成されており、衝撃伝達部４が、付与された衝撃を第一の収容部１側に伝達することで振出孔５１ａを通じて粉状物１０を振り出す粉状物振出容器である。【選択図】  図１
2005007020.tif 000002
【特許請求の範囲】
【請求項１】
第一の収容部と第二の収容部とを衝撃伝達部をはさんで対向する前後にそれぞれ有しており、前記第一の収容部に粉状物が収容されており、前記第二の収容部に振出動作により前記衝撃伝達部に衝撃を付与するためのおもりが移動自在に収容されており、前記粉状物を前方に振り出すための振出孔が前端部に形成されている粉状物振出容器であって、
前記衝撃伝達部が、付与された衝撃を前記第一の収容部側に伝達することで前記振出孔から前記粉状物を吐き出させることを特徴とする粉状物振出容器。
【請求項２】
粉状物が収容される収容部及び該収容部に面して設けた空気吸引部を有しており、前記粉状物を前方に振り出すための振出孔が前端部に形成されている粉状物振出容器であって、
前記空気吸引部が、前記振出孔内に詰まった前記粉状物を前記収容部内の空気を吸引することで該収容部内に引き戻すことを特徴とする粉状物振出容器。
【請求項３】
前記空気吸引部は、後から前記収容部内に連通するシリンダーと、振出動作に追従して前記シリンダー内を前後方向に摺動するピストンとを備え、前記ピストンの後方向への摺動により前記収容部内の空気を吸引することを特徴とする請求項２に記載の粉状物振出容器。
【請求項４】
第一の収容部と第二の収容部とを衝撃伝達部及び空気吸引部をはさんで対向する前後にそれぞれ有しており、前記第一の収容部に粉状物が収容されており、前記第二の収容部に振出動作により前記衝撃伝達部に衝撃を付与するためのおもりが移動自在に収容されており、前記粉状物を前方に振り出すための振出孔が前端部に形成されている粉状物振出容器であって、
前記空気吸引部が、後から前記第一の収容部内に連通するシリンダーと、振出動作に追従して前記シリンダー内を前後方向に摺動するピストンとを備えており、
前記衝撃伝達部が、前記ピストンの前方向への摺動を止めるストッパーを有しており、
前記衝撃伝達部が、前記ピストンの後端に付与された衝撃を前記ストッパーを介して前記第一の収容部側に伝達することで前記振出孔から前記粉状物を吐き出させるとともに、前記空気吸引部が、前記振出孔内に詰まった前記粉状物を前記ピストンの後方向への摺動により前記第一の収容部内に引き戻すことを特徴とする粉状物振出容器。
【発明の詳細な説明】
【０００１】
【発明の属する技術分野】
本発明は、化粧品としてのルースパウダー等の粉状物を収容するとともに収容された粉状物を振り出す目的に用いられる粉状物振出容器に関する。
【０００２】
【従来の技術】
従来の粉状物振出容器としては、例えばルースパウダーが収容された収容部を有し、この収容部内からルースパウダーを振り出すための振出孔が前端部に形成され、所望量のルースパウダーを振り出すことを可能としたものが開示されている（例えば、特許文献１参照）。
【特許文献１】
特開２００２−３６０１３３７号公報
【０００３】
【発明が解決しようとする課題】
ところで、従来の粉状物振出容器においては、ルースパウダーの振出動作を行うことなどにより振出孔において粉状物の目詰まりを生じてしまう場合も少なくない。このような場合には、振出孔において粉状物の目詰まりを取り除かない限り、ルースパウダーを振り出す機能を損なうことになってしまう。
そこで、本発明の課題は、振出孔における粉状物の目詰まりによって粉状物を振り出す機能が損なわれない粉状物振出容器を提供することにある。
【０００４】
【課題を解決するための手段】
上記課題を解決するため、第一の発明に係る粉状物振出容器は、第一の収容部と第二の収容部とを衝撃伝達部をはさんで対向する前後にそれぞれ有しており、第一の収容部に粉状物が収容されており、第二の収容部に振出動作により衝撃伝達部に衝撃を付与するためのおもりが移動自在に収容されており、粉状物を前方に振り出すための振出孔が前端部に形成されている粉状物振出容器であって、衝撃伝達部が、付与された衝撃を第一の収容部側に伝達することで振出孔から粉状物を吐き出させることを特徴としている。
【０００５】
第一の発明に係る粉状物振出容器によれば、付与された衝撃を第一の収容部側に伝達することで振出孔から粉状物を吐き出させる衝撃伝達部を備えることとしたので、使用者はおもりにより勢いを付けて粉状物を振出孔から振り出すことが可能となり、これにより、振出孔において粉状物の目詰まりを生じさせないことが可能となる。
【０００６】
また、振出孔において粉状物の目詰まりを起こしていても、使用者はおもりによる衝撃を第一の収容部側に付与することにより粉状物の目詰まりを容易かつ確実に解消し得ることになり、さらに目詰まりが解消された振出孔を通じて粉状物を振り出すことが可能となる。
【０００７】
したがって、これによれば、振出孔における粉状物の目詰まりによって粉状物を振り出す機能が損なわれないことになる。
【０００８】
また、第二の発明に係る粉状物振出容器は、粉状物が収容される収容部及び収容部に面して設けた空気吸引部を有しており、粉状物を前方に振り出すための振出孔が前端部に形成されている粉状物振出容器であって、空気吸引部が、振出孔内に詰まった粉状物を収容部内の空気を吸引することで収容部内に引き戻すことを特徴としている。
【０００９】
第二の発明に係る粉状物振出容器によれば、振出孔内に詰まった粉状物を収容部内の空気を吸引することで収容部内に引き戻す空気吸引部を備えることとしたので、振出孔において粉状物の目詰まりを生じた場合でも、使用者は空気吸引部により粉状物の目詰まりを容易かつ確実に解消し得ることになり、さらに目詰まりが解消された振出孔を通じて粉状物を振り出すことが可能となる。
【００１０】
したがって、これによれば、振出孔における粉状物の目詰まりによって粉状物を振り出す機能が損なわれないことになる。
【００１１】
第二の発明に係る粉状物振出容器において、空気の吸引が不十分となるような不測の結果を生じないようにして、粉状物の目詰まりをより容易かつ確実に解消しようとする観点からすれば、空気吸引部は、後から収容部内に連通するシリンダーと、振出動作に追従してシリンダー内を前後方向に摺動するピストンとを備え、ピストンの後方向への摺動により収容部内の空気を吸引することが好ましい。
【００１２】
さらに、第三の発明に係る粉状物振出容器は、第一の収容部と第二の収容部とを衝撃伝達部及び空気吸引部をはさんで対向する前後にそれぞれ有しており、第一の収容部に粉状物が収容されており、第二の収容部に振出動作により衝撃伝達部に衝撃を付与するためのおもりが移動自在に収容されており、粉状物を前方に振り出すための振出孔が前端部に形成されている粉状物振出容器であって、空気吸引部が、後から第一の収容部内に連通するシリンダーと、振出動作に追従してシリンダー内を前後方向に摺動するピストンとを備えており、衝撃伝達部が、ピストンの前方向への摺動を止めるストッパーを有しており、衝撃伝達部が、ピストンの後端に付与された衝撃をストッパーを介して第一の収容部側に伝達することで振出孔から粉状物を吐き出させるとともに、空気吸引部が、振出孔内に詰まった粉状物をピストンの後方向への摺動により第一の収容部内に引き戻すことを特徴としている。
【００１３】
第三の発明に係る粉状物振出容器によれば、上記した第一の発明に係る粉状物振出容器による効果及び第二の発明に係る粉状物振出容器による効果を併有することになる。
【００１４】
したがって、これによれば、振出孔における粉状物の目詰まりによって粉状物を振り出す機能が損なわれないことになる。
【００１５】
【発明の実施の形態】
以下、添付図面に基づいて本発明の実施の形態を詳細に説明する。
【００１６】
なお、ここでは、化粧品としてのルースパウダーを振り出す目的に用いる場合について説明するが、これに限られるものではなく、例えば食品その他の物品としての粉状物を振り出す目的に用いる場合でも、以下の説明が妥当する。
【００１７】
図１は本発明の一実施の形態に係る粉状物振出容器の構成を示す図（図１（ａ）は正面図、図１（ｂ）は断面図）、図２は同粉状物振出容器の作用を説明する断面図である。
【００１８】
なお、これらの図において、説明の便宜上、前端部５１を覆うように取り付けられるキャップ及び前端部５１から突出して設けられる毛状の塗布具についての図示は省略する。
【００１９】
本実施の形態において、粉状物振出容器は、図１（ｂ）に示すように、粉状物としてのルースパウダー１０を収容するとともに、収容されたルースパウダー１０を振り出す目的に用いられるものである。
【００２０】
そして、この粉状物振出容器は、同図に示すように、第一の収容部１と、第二の収容部２と、衝撃伝達部たるストッパー４と、空気吸引部３とを備えるものとして構成されている。
【００２１】
以下、これらの各構成要素についてさらに詳細に説明する。
【００２２】
（１）第一の収容部１
第一の収容部１は、図１（ｂ）に示すように、ストッパー４及び空気吸引部３をはさんで第二の収容部２の前に位置するようにして設けられている。
【００２３】
この第一の収容部１は、同図に示すように、ルースパウダー１０を収容する役割を果たすものとして構成されている。
【００２４】
具体的には、第一の収容部１は、同図に示すように、筒状のスリーブ１１と、スリーブ１１の後端部に対して連結される筒状の本体１２の前側とによって形成されている。
【００２５】
スリーブ１１は、図１に示すように、本実施の形態に係る粉状物振出容器の前端部５１を含むものとして構成されている。そして、同図に示すように、この前端部５１には、ルースパウダー１０を前方に振り出すための振出孔５１ａが形成されている。
【００２６】
ここで、振出孔５１ａとしては、図１（ａ）に示すように、前端部５１に複数の孔を間欠的に形成してなるものが用いられており、具体的には、使用者のニーズに適合的である大きさ・個数及び間隔に設定されている。
【００２７】
もちろん、振出孔５１ａとしては、これに限られるものではなく、その形態・寸法の別を問わず、ルースパウダー１０の性状、すなわち、ルースパウダー１０の粒径・粒度・アスペクト比・吸油量・吸水量などの性状に応じて適宜選定して差し支えない。すなわち、振出孔５１ａとして、メッシュ形態のものなども用いることができる。
【００２８】
なお、本体１２の後側は、後記するように、シリンダー３１及び第二の収容部２を形成している。
【００２９】
（２）第二の収容部２
第二の収容部２は、図１（ｂ）に示すように、ストッパー４及び空気吸引部３をはさんで第一の収容部１の後に位置するようにして設けられている。
【００３０】
この第二の収容部２は、同図に示すように、おもりとしての可動ボール２０を前後方向に移動自在に収容する役割を果たすものとして構成されている。
【００３１】
ここで、可動ボール２０は、使用者によって振出動作が行われることによりストッパー４に衝撃を付与する役割を果たす（同図参照）。
【００３２】
もちろん、おもりとしては、使用者が振出動作を行うことでストッパー４に衝撃を付与し得るものであれば、その形状・材料・形態・寸法の別や個数を問わず、予想される目詰まりの頻度や使用者のニーズに応じて適宜選定して差し支えない。すなわち、おもりとして、粒状物や液状物なども用いることができる。
【００３３】
具体的には、第二の収容部２は、同図に示すように、筒状の後側ピストン２１と、筒状の本体２２の後側と、筒状の尾栓２３とによって形成されている。
【００３４】
ここで、同図に示すように、ピストン３２は、後側が筒状をなしている後側ピストン２１を有しており、この後側ピストン２１の内部に第二の収容部２が形成されている。
【００３５】
尾栓２３は、同図に示すように、収容部の後端を形成する底２３ａを有しており、この底２３ａによって可動ボール２０の後方向への移動が規制されている。
【００３６】
ここで、使用者は、図２（ａ）に示すように、この底２３ａによって可動ボール２０を保持しながら振出動作を行うことが可能となっている。つまり、この底２３ａは、使用者が振出動作を行うに際して可動ボール２０に勢いを付与する役割をも果たす。
【００３７】
（３）空気吸引部３
空気吸引部３は、図１（ｂ）に示すように、振出孔５１ａ内に詰まったルースパウダー１０を第一の収容部１内の空気５２を吸引することで第一の収容部１内に引き戻す役割を果たすものとして構成されている。
【００３８】
空気吸引部３は、同図に示すように、第一の収容部１と第二の収容部２との間にはさまれるようにして設けられている。
【００３９】
ここで、空気吸引部３は、同図に示すように、シリンダー３１と、ピストン３２と、コイルバネ３３とからなっている。
【００４０】
これにより、空気５２の吸引が不十分となるような不測の事態を招く虞を少なくすることが可能となっており、その結果、ルースパウダー１０の目詰まりがより容易かつ確実に解消されることになっている。
【００４１】
すなわち、シリンダー３１は、同図に示すように、後から第一の収容部１内に連通するものとして構成されている。
【００４２】
このシリンダー３１は、同図に示すように、第一の収容部１の後側に連続する前側シリンダー３１ａと、前側シリンダー３１ａの後側に連続する後側シリンダー３１ｂとからなっている。
【００４３】
ここで、同図に示すように、前側シリンダー３１ａに対して後側シリンダー３１ｂが大きい内径寸法に設定されている。換言すれば、同図に示すように、シリンダー３１の内部には、前側シリンダー３１ａの内周と、後側シリンダー３１ｂの内周との段差部３１ｃが形成されている。
【００４４】
また、ピストン３２は、同図に示すように、振出動作に追従してシリンダー３１内を前後方向に摺動するものとして構成されている。
【００４５】
このピストン３２は、同図に示すように、前側シリンダー３１ａ内を前後方向に摺動可能に設けられる柱状の前側ピストン３２ａと、前側ピストン３２ａの後側に連続して設けられ、後側シリンダー３１ｂ内を前後方向に摺動可能に設けられる筒状の後側ピストン３２ｂとからなっている。
【００４６】
ここで、後側ピストン３２ｂの外部の後側には、外周の前側より外側に突出した第一の突出部３２ｃが周方向に沿って設けられており、この第一の突出部３２ｃが、後側シリンダー３１ｂ内を前後方向に摺動可能に設けられている。つまり、段差部３１ｃから第一の突出部３２ｃまでの区間においては、後側ピストン３２ｂの外部のうち第一の突出部３２ｃ以外の部分と後側シリンダー３１ｂの内部との間に隙間が形成されている。
【００４７】
さらに、コイルバネ３３は、図２（ｂ）及び（ｃ）に示すように、弾性部材としての役割を果たすものであり、可動ボール２０による衝撃の付与によって前方向に移動することとなったピストン３２を元の位置に復帰させる役割を果たす。
【００４８】
それゆえ、コイルバネ３３に代えて、弾性復帰力を発揮し得るよう樹脂製筒の適宜箇所に周方向に沿ってスリットを入れてなる樹脂製バネなども用いることができる。
【００４９】
ここで、このコイルバネ３３は、図１（ｂ）に示すように、後側ピストン３２ｂの外部と後側シリンダー３１ｂの内部との隙間であって、段差部３１ｃと第一の突出部３２ｃとの間に設けられている。
【００５０】
すなわち、このような空気吸引部３によれば、振出孔５１ａにおいてルースパウダー１０の目詰まりを生じた場合でも、使用者が可動ボール２０による衝撃によってピストン３２を前方向に移動させれば、コイルバネ３３によってピストン３２を元の位置に復帰させて第一の収容部１内の空気５２を吸引することが可能となっており、これにより、使用者はルースパウダー１０の目詰まりを容易かつ確実に解消することが可能となっている。
【００５１】
なお、コイルバネ３３などの弾性力や機械力によってピストン３２を元の位置に復帰させなくても、使用者が本容器を掴んで振出動作を行うことによりピストン３２を元の位置に復帰させることも可能であり、これによっても、ルースパウダー１０の目詰まりを解消し得る。つまり、コイルバネ３３は、本発明の成立にとって、任意の技術的要素となっている。
【００５２】
（４）ストッパー４
ストッパーは、図１（ｂ）に示すように、第一の収容部１と第二の収容部２との間にはさまれるようにして設けられている。
【００５３】
このストッパー４は、同図に示すように、ピストン３２の前方向への摺動を止める、つまり、ピストン３２に付与された衝撃を第一の収容部１側に伝達することで振出孔５１ａからルースパウダー１０を振り出す役割を果たすものとして構成されている。
【００５４】
具体的には、このストッパーは、シリンダー３１の内部のうち前側シリンダー３１ａの内周と後側シリンダー３１ｂの内周との間に形成される段差部４１と、ピストン３２の外部から外側に突出した第二の突出部４２であって周方向に設けられるものとからなっている。
【００５５】
すなわち、このようなストッパー４によれば、前側ピストン３２ａの後端に付与された衝撃を第一の収容部１側に伝達することが可能となっており、これにより、使用者は可動ボール２０により勢いを付けてルースパウダー１０を振出孔５１ａから振り出すことが可能となっている。加えて、振出孔５１ａにおいてルースパウダー１０の目詰まりを起こしていても、使用者は可動ボール２０による衝撃を第一の収容部１側に付与することによりルースパウダー１０の目詰まりを容易かつ確実に解消することが可能となっている。
【００５６】
上記したように、このような粉状物振出容器によれば、付与された衝撃を第一の収容部１側に伝達することで振出孔５１ａを通じてルースパウダー１０を吐き出させるストッパー４を備えているので、使用者は可動ボール２０により勢いを付けてルースパウダー１０を振出孔５１ａから振り出すことが可能となっており、これにより、振出孔５１ａにおいてルースパウダー１０の目詰まりを生じさせないことになっている。
【００５７】
また、振出孔５１ａにおいてルースパウダー１０の目詰まりを起こしていても、使用者は可動ボール２０による衝撃を第一の収容部１側に付与することによりルースパウダー１０の目詰まりを容易かつ確実に解消し得ることになっており、さらに目詰まりが解消された振出孔５１ａを通じてルースパウダー１０を振り出すことが可能となっている。
【００５８】
さらに、振出孔５１ａ内に詰まったルースパウダー１０を収容部内の空気５２を吸引することで収容部内に引き戻す空気吸引部３を備えているので、振出孔５１ａにおいてルースパウダー１０の目詰まりを生じた場合でも、使用者は空気吸引部３によりルースパウダー１０の目詰まりを容易かつ確実に解消し得ることになっており、さらに目詰まりが解消された振出孔５１ａを通じてルースパウダー１０を吐き出させることが可能となっている。
【００５９】
したがって、このような粉状物振出容器によれば、振出孔５１ａにおけるルースパウダー１０の目詰まりによってルースパウダー１０を振り出す機能が損なわれないことになっている。
【００６０】
【発明の効果】
本発明に係る粉状物振出容器によれば、振出孔における粉状物の目詰まりによって粉状物を振り出す機能が阻害されないことになる。
【図面の簡単な説明】
【図１】本発明の一実施の形態に係る粉状物振出容器の構成を示す図（図１（ａ）は正面図、図１（ｂ）は断面図）である。
【図２】本発明の一実施の形態に係る粉状物振出容器の作用を説明する断面図である。
【符号の説明】
１  第一の収容部
２  第二の収容部
３  空気吸引部
４  衝撃伝達部
１０  ルースパウダー
１１  スリーブ
１２  本体
２０  可動ボール
２１  後側ピストン
２２  本体
２３  尾栓
２３ａ  底
３１  シリンダー
３１ａ  前側シリンダー
３１ｂ  後側シリンダー
３１ｃ  段差部
３２  ピストン
３２ａ  前側ピストン
３２ｂ  後側ピストン
３２ｃ  第一の突出部
３３  コイルバネ
４１  段差部
４２  第二の突出部
５１  前端部
５１ａ  振出孔
５２  空気
【図１】
2005007020.tif 000003
【図２】
2005007020.tif 000004